(57)【要約】【課題】  上側の容器を、下側の容器から容易に取り外すことができる技術を提供する。【解決手段】  容器ユニットは、第１容器と、第１容器に着脱可能に組み付けられており、第１容器の下方に収容空間を画定する第２容器と、を備える。第１容器は、第１容器の上側に位置しており、外部に露出している把持部と、第２容器に係合する第１係合部と、を備える。第２容器は、第１係合部に係合する第２係合部を備える。【選択図】  図８
2018052554.tif 000002
【特許請求の範囲】
【請求項１】
第１容器と、
前記第１容器に着脱可能に組み付けられており、前記第１容器の下方に収容空間を画定する第２容器と、を備える容器ユニットであって、
前記第１容器は、
前記第１容器の上側に位置しており、外部に露出している把持部と、
前記第２容器に係合する第１係合部と、を備え、
前記第２容器は、
前記第１係合部に係合する第２係合部を備える、容器ユニット。
【請求項２】
前記第１容器は、１枚の平板を折り曲げることによって構成されている、請求項１に記載の容器ユニット。
【請求項３】
前記第２容器は、１枚の平板を折り曲げることによって構成されている、請求項１又は２に記載の容器ユニット。
【請求項４】
前記第１容器の少なくとも一部は、前記第２容器に収容されている、請求項１から３のいずれか一項に記載の容器ユニット。
【請求項５】
前記第１容器は、さらに、
側板と、
前記側板に回動可能に連結されており、前記側板によって囲まれる収容空間の上端を閉塞する蓋板と、を備え、
前記把持部は、前記蓋板から上方に延びており、
前記第１係合部は、前記把持部から側方に突出しており、
前記第２係合部は、前記蓋板よりも上方に位置しており、前記第１係合部を挿入可能な開口を有する、請求項１から４のいずれか一項に記載の容器ユニット。
【請求項６】
前記蓋板は、前記側板の対向する位置のそれぞれに回動可能に連結されている一対の蓋板を有しており、
前記把持部は、前記一対の蓋板のそれぞれの前記側板と反対側の端に連結されている一対の把持部を有しており、
前記第１係合部は、各把持部の両側端のそれぞれから側方に突出しており、
前記一対の把持部は、互いに重なり合っており、
前記一対の把持部の前記第１係合部も互いに重なり合っており、
前記第２係合部は、互いに重なり合った前記第１係合部を挿入可能な前記開口を有する、請求項５に記載の容器ユニット。
【発明の詳細な説明】
【技術分野】
【０００１】
本明細書は、複数個の容器が組み合わせられている容器ユニットに関する。
【背景技術】
【０００２】
特許文献１には、２個の容器が組み合わせられる容器ユニットが開示されている。この容器ユニットでは、把持部を有する外側の容器内の上側に、別の容器、即ち組立皿が収容される。これにより、外側の容器の収容空間が、２個の収容空間に分割される。組立皿には、組立皿の側板から上方に突出する摘み片が設けられている。
【先行技術文献】
【特許文献】
【０００３】
【特許文献１】特開２０００−３１８７２５号公報
【発明の概要】
【発明が解決しようとする課題】
【０００４】
外側の容器から組立皿を取り出す場合、摘み片を手指で摘まんで、組立皿を上方に引き上げることによって、組立皿を取り出すことができる。しかしながら、摘み片は、平板形状の小片であるため、摘まみ難い場合がある。一方、摘み片は、外側の容器に収容されるため、拡大することが難しい。
【０００５】
本明細書では、上側の容器を、下側の容器から容易に取り外すことができる技術を提供する。
【課題を解決するための手段】
【０００６】
本明細書で開示される技術は、容器ユニットに関する。容器ユニットは、第１容器と、前記第１容器に着脱可能に組み付けられており、前記第１容器の下方に収容空間を画定する第２容器と、を備える。前記第１容器は、前記第１容器の上側に位置しており、外部に露出している把持部と、前記第２容器に係合する第１係合部と、を備える。前記第２容器は、前記第１係合部に係合する第２係合部を備える。
【０００７】
上記の構成では、容器ユニットの上側に配置される第１容器に、把持部が配置されている。このため、使用者は、把持部を把持した状態で、第１容器と第２容器とを分離することができる。また、把持部は外部に露出しているため、第２容器内に収容されることを考慮して寸法を決定しなくてもよい。これにより、使用者は、把持部を把持して、上側の第１容器を、下側の第２容器から容易に取り外すことができる。
【０００８】
第１容器の材料は特に限定されないが、第１容器は、１枚の平板を折り曲げることによって構成されていてもよい。
【０００９】
第２容器の材料は特に限定されないが、第２容器は、１枚の平板を折り曲げることによって構成されていてもよい。
【００１０】
第１容器の少なくとも一部は、第２容器に収容されていてもよい。この構成によれば、第２容器に収容されている第１容器を、把持部を把持して容易に取り外すことができる。
【００１１】
第１容器は、さらに、側板と、側板に回動可能に連結されており、側板によって囲まれる収容空間の上端を閉塞する蓋板と、を備えていてもよい。把持部は、蓋板から上方に延びており、第１係合部は、把持部から側方に突出しており、第２係合部は、蓋板よりも上方に位置しており、第１係合部を挿入可能な開口を有していてもよい。この構成では、第１係合部と第２係合部とが容器ユニットの上側で係合している。このため、第１係合部と第２係合部との係合を解除する際に、容器ユニットの上方から作業することができる。このため、第１係合部と第２係合部との係合を容易に解除することができる。
【００１２】
蓋板は、側板の対向する位置のそれぞれに回動可能に連結されている一対の蓋板を有していてもよい。把持部は、一対の蓋板のそれぞれの側板と反対側の端に連結されている一対の把持部を有していてもよい。第１係合部は、各把持部の両側端のそれぞれから側方に突出していてもよい。一対の把持部は、互いに重なり合っており、一対の把持部の第１係合部も互いに重なり合っていてもよい。第２係合部は、互いに重なり合った第１係合部を挿入可能な前記開口を有していてもよい。この構成によれば、一対の把持部の第１係合部を重ね合せて、第２係合部の開口に挿入することによって、一対の把持部を介して、第１容器の一対の蓋板を、側板に対して位置決めすることができる。
【図面の簡単な説明】
【００１３】
【図１】第１実施例の容器ユニットの上方斜視図を示す。
【図２】第１実施例の容器ユニットの平面図を示す。
【図３】第１実施例の第２容器の上方斜視図を示す。
【図４】第１実施例の蓋板が開放されている状態の第１容器の上方斜視図を示す。
【図５】第１実施例の第２容器の展開図を示す。
【図６】第１実施例の第１容器の展開図を示す。
【図７】第１実施例の第１容器の蓋板が開放されている状態から閉塞されている状態に移行する途中の第１容器の上方斜視図を示す。
【図８】第１実施例の第１容器を第２容器に組み付ける手順を示す上方斜視図を示す。
【図９】第２実施例の容器ユニットの上方斜視図を示す。
【図１０】第２実施例の第１容器を第２容器に組み付ける手順を示す上方斜視図を示す。
【図１１】第３実施例の容器ユニットの上方斜視図を示す。
【図１２】第３実施例の蓋板が開放されている状態の第１容器の上方斜視図を示す。
【図１３】第３実施例の第１容器を第２容器に組み付ける手順を示す上方斜視図を示す。
【図１４】図１３の領域Ｘの拡大図を示す。
【図１５】第４実施例の容器ユニットの上方斜視図を示す。
【図１６】第４実施例の第１容器を第２容器に組み付ける手順を示す上方斜視図を示す。
【図１７】変形例の容器ユニットの上方斜視図を示す。
【図１８】変形例の第１容器を第２容器に組み付ける手順を示す上方斜視図を示す。
【実施例】
【００１４】
（第１実施例）
図１は容器ユニット１００の上方斜視図を示し、図２は容器ユニット１００の平面図を示す。容器ユニット１００は、第１容器１０と第２容器５０とが組み合わされて構成されている。容器ユニット１００では、第１容器１０が第２容器５０に収容された状態で、第１容器１０と第２容器５０とが互いに係合して取り付けられている。第１容器１０と第２容器５０とは、互いに異なる空間を画定している。容器ユニット１００は、例えば、第１容器１０と第２容器５０とに異なる種類の食品を収容することによって、異なる種類の食品を分離して運搬する際に用いることができる。なお、実施例では、説明を容易にするために、上下前後左右方向が規定されている。なお、容器ユニット１００は、左右対称である。また、容器ユニット１００は、後述する左右方向の中央部において、蓋板２７から蓋板２６上に延びる突片を除いて前後対称である。
【００１５】
図３は第２容器５０の上方斜視図を示し、図５は第２容器５０の展開図を示す。第２容器５０は、１枚の平板状の紙製（例えば厚紙、段ボール紙等）ブランクＢＬ２から作製される。なお、第２容器５０は、左右対称であるとともに、前後対称である。
【００１６】
第２容器５０は、底板５２と、４個の側板５４，５５，５６，５７と、４個の連結片６２，６４，６６，６８と、一対の第２係合部７４，７５と、を備える。底板５２は、矩形状の平板である。底板５２の各辺には、側板５４，５５，５６，５７のそれぞれが直接的に連結されている。側板５４は、台形の平板形状を有している。側板５４は、上方に向かって上下方向に垂直な方向の幅が広くなるように、配置されている。側板５５，５６，５７は、側板５４と同様の形状を有する。この結果、第２容器５０は、下端から上端に向って徐々に開口が大きくなる。
【００１７】
互いに隣接する側板５４，５６は、連結片６２を挟んで連結されている。連結片６２は、ブランクＢＬ２において、三角形の平板形状を有する。連結片６２は、側板５４と側板５６のそれぞれに直接的に連結されている。第２容器５０では、連結片６２は、下端に位置する頂角を通過する二等分線で半分に折り畳まれている。連結片６２は、側板５６の外面に接着されている。連結片６２は、図５の斜線領域の両面に塗布される接着剤によって半分に折り畳まれた状態で維持され、側板５６の外面に接着される。
【００１８】
互いに隣接する側板５４，５７は、連結片６４を挟んで連結されており、互いに隣接する側板５５，５７は、連結片６６を挟んで連結されており、互いに隣接する側板５５，５６は、連結片６８を挟んで連結されている。連結片６４，６６，６８は、それぞれ、連結片６２と同様の形状を有しており、下端に位置する頂角を通過する二等分線で折り畳まれている。
【００１９】
連結片６８も同様に、図５の斜線領域の両面に塗布される接着剤によって、折り畳まれた状態で維持され、側板５６の外面に接着される。連結片６４，６６も同様に、図５の斜線領域の両面に塗布される接着剤によって、折り畳まれた状態で維持され、側板５７の外面に接着される。この構成では、第２容器５０の側板５４，５５，５６，５７は、連結片６２，６４，６６，６８によって切れ目なく連結されている。このため、第２容器５０に液体が収容される場合に、側板５４，５５，５６，５７の間から、液体が漏れ出ることを抑制することができる。
【００２０】
左右方向に互いに対向する側板５４，５５の上端辺のそれぞれには、一対の第２係合部７４，７５のそれぞれが連結されている。一対の第２係合部７４，７５は、平板形状を有しており、互いに同一形状を有している。一対の第２係合部７４，７５は、第２係合部７４，７５のそれぞれを貫通する開口７４ａ，７５ａを有する。各開口７４ａ，７５ａは、上下方向に細長に延びている。
【００２１】
第２容器５０の上部には、第１容器１０が収容されている。図４は第１容器１０の蓋板２６，２７が開放されている上方斜視図を示し、図６は第１容器１０の展開図を示す。第１容器１０は、１枚の平板状の紙製（例えば厚紙、段ボール紙等）ブランクＢＬ１から作製される。なお、第１容器１０は、左右対称である。また、第１容器１０は、後述する左右方向の中央部において、蓋板２７から蓋板２６上に延びる突片を除いて、前後対称である。
【００２２】
第１容器１０は、底板１２と、４個の側板１４，１５，１６，１７と、４個の連結片３２，３４，３６，３８と、一対の折曲片２４，２５と、一対の蓋板２６，２７と、一対の把持部６，７と、第１係合部６ａ，６ａ，７ａ，７ａと、を備える。
【００２３】
底板１２は、矩形状の平板である。底板１２の各辺は、底板５２の各辺よりも長い。底板１２の各辺には、側板１４，１５，１６，１７のそれぞれが直接的に連結されている。側板１４は、台形の平板形状を有している。側板１４は、上方に向かって上下方向に垂直な方向の幅が広くなるように、配置されている。側板１５，１６，１７は、側板１４と同様の形状を有する。この結果、第１容器１０は、第２容器５０と同様に、下端から上端に向って徐々に開口が大きくなる。
【００２４】
互いに隣接する側板１４，１６は、連結片３２を挟んで連結されている。連結片３２は、ブランクＢＬ１において、三角形の平板形状を有する。連結片３２は、側板１４と側板１６のそれぞれに直接的に連結されている。第１容器１０では、連結片３２は、下端に位置する頂角を通過する二等分線で半分に折り畳まれている。連結片３２は、側板１４の外面に接着されている。連結片３２は、図６の斜線領域の両面に塗布される接着剤によって半分に折り畳まれた状態で維持され、側板１４の外面に接着される。
【００２５】
互いに隣接する側板１４，１７は、連結片３４を挟んで連結されており、互いに隣接する側板１５，１７は、連結片３６を挟んで連結されており、互いに隣接する側板１５，１６は、連結片３８を挟んで連結されている。連結片３４，３６，３８は、それぞれ、連結片３２と同様の形状を有しており、下端に位置する頂角を通過する二等分線で折り畳まれている。
【００２６】
連結片３４，３６，３８は、連結片３２と同様に、図６の斜線領域の両面に塗布される接着剤によって、折り畳まれた状態で維持され、側板１４，１５のいずれかの外面に接着される。この構成では、第１容器１０も、第２容器と同様に、側板１４，１５，１６，１７がよって切れ目なく連結され、側板１４，１５，１６，１７の間から液体が漏れ出ることを抑制することができる。
【００２７】
左右方向に互いに対向する一対の側板１４，１５の上端辺のそれぞれには、一対の折曲片２４，２５のそれぞれが直接的に連結されている。折曲片２４は、側板１４の上端辺に回動可能に連結されている。折曲片２４は、台形の平板形状を有する。折曲片２４には、上下方向に傾斜して延びる折曲線２４ａ，２４ａが設けられている。折曲片２５は、側板１５の上端辺に回動可能に連結されている。折曲片２５は、側板１５と同一形状を有する。折曲片２５には、上下方向に傾斜して延びる折曲線２５ａ，２５ａが設けられている。
【００２８】
前後方向に互いに対向する一対の側板１６，１７の上端辺のそれぞれには、一対の蓋板２６，２７のそれぞれが直接的に連結されている。蓋板２６は、側板１４の上端辺に回動可能に連結されている。蓋板２６は、台形と長方形とが連結された平板形状を有する。蓋板２６の左右両端のそれぞれには、接着片４２，４８が連結されている。接着片４２は、格子状の斜線で示された領域に接着剤が塗布され、折曲片２４の外面に接着されている。接着片４２は、折曲線２４ａを跨いでいない。接着片４８は、格子状の斜線で示された領域に接着剤が塗布され、折曲片２５の外面に接着されており、折曲線２５ａを跨いでいない。
【００２９】
蓋板２７は、側板１５の上端辺に回動可能に連結されている。蓋板２７は、蓋板２６と同一形状を有する。蓋板２７の左右両端のそれぞれには、接着片４４，４６が連結されている。接着片４４は、格子状の斜線で示された領域に接着剤が塗布され、折曲片２４の外面に接着されている。接着片４４は、折曲線２４ａを跨いでいない。接着片４６は、格子状の斜線で示された領域に接着剤が塗布され、折曲片２５の外面に接着されており、折曲線２５ａを跨いでいない。
【００３０】
一対の蓋板２６，２７の上端辺のそれぞれには、一対の把持部６，７のそれぞれが直接的に連結されている。把持部６は、蓋板２６の上端辺に回動可能に連結されている。把持部６は、蓋板２６の左右方向の両端に連結されており、蓋板２６の左右方向の中間位置において、蓋板２６から隙間を有して離間している。把持部６の左右方向の両端のそれぞれには、第１係合部６ａが外側に向かって突出している。第１係合部６ａ，６ａでは、上下方向の長さは、開口７４ａ，７５ａの上下方向の長さよりも若干短く、厚みが開口７４ａ，７５ａの前後方向の幅よりも薄い。第１係合部６ａ，６ａの上端辺は、把持部６から離間するのに従って、上方に傾斜している。
【００３１】
把持部７は、蓋板２７の上端辺に回動可能に連結されている。把持部７は、把持部６と同一形状を有する。このため、把持部７は、左右方向の中間位置において蓋板２７から隙間を有して離間している。把持部７の左右方向には、第１係合部６ａ，６ａと同様の第１係合部７ａ，７ａが外側に向かって突出している。
【００３２】
次いで、第１容器１０を第２容器５０に組み合わせて、容器ユニット１００を形成する方法を説明する。第１容器１０を第２容器５０に組み合わせる場合、図４に示す蓋板２６，２７が開放された状態から、蓋板２６，２７を側板１６，１７に対して回動させるとともに、折曲片２４，２５を側板１４，１５に対して回動させる。このとき、折曲片２４，２５を、それぞれ折曲線２４ａ，２４ａ，２５ａ，２５ａで折り曲げる。この結果、図７に示す中間状態を経て、図８に示すように、蓋板２６，２７が閉塞された状態（以下では「閉塞状態」と呼ぶ）に移行することができる。閉塞状態では、一対の蓋板２６，２７が、側板１４，１５，１６，１７の上端の開口を閉塞している。一対の蓋板２６，２７は、側板１４，１５，１６，１７の上端の開口よりも大きく、左右方向において、一対の蓋板２６，２７が、側板１４，１５から突出している。
【００３３】
閉塞状態では、把持部６，７が互いに重ね合されている。そのため、第１係合部６ａは、対向する第１係合部７ａに重ね合されている。次いで、閉塞状態の第１容器１０を、第２容器５０の上方から第２容器５０に挿入する。これにより、右端の第１係合部６ａ，７ａが第２係合部７５の開口７５ａに挿入され、左端の第１係合部６ａ，７ａが第２係合部７４の開口７４ａに挿入されている。これにより、第１係合部６ａ，６ａ，７ａ，７ａは、第２係合部７４，７５に係合して、第１容器１０が第２容器５０から外れることを防止することができる。これにより、容器ユニット１００が形成される。
【００３４】
第１容器１０の底板１２から蓋板２６，２７までの高さが、第２容器５０の底板５２から側板５４の上端辺までの高さよりも低い。このため、容器ユニット１００では、第１容器１０の下方に第２容器５０の収容空間が画定される。この構成によれば、第１容器１０の収容物と第２容器５０の収容物とが混合されることを防止することができる。
【００３５】
第１係合部６ａ，６ａ，７ａ，７ａは、左右方向外側に向かって上方に傾斜している。この構成によれば、第１係合部６ａ，６ａ，７ａ，７ａを開口７４ａ，７５ａに挿入し、第２係合部７４，７５に係合されると、第１係合部６ａ，６ａ，７ａ，７ａが第２係合部７４，７５から外れることを抑制することができる。
【００３６】
また、容器ユニット１００では、第１容器１０が第２容器５０を閉塞する蓋の役割を果たしている。蓋板２６，２７は、側板１４，１５から外側に大きく形成されているため、蓋板２６，２７と側板５４，５５との間に隙間が形成されることを抑制することができる。
【００３７】
容器ユニット１００から、第１容器１０を取り外す場合には、第２係合部７４，７５を外側に倒して、第１係合部６ａ，６ａ，７ａ，７ａと第２係合部７４，７５の係合を解除する。この結果、把持部６，７を把持して第１容器１０を上方に持ち上げることによって、第１容器１０を容易に第２容器５０から離脱させることができる。
【００３８】
把持部６，７が第１容器１０及び第２容器５０の上方から露出しているために、把持部６，７を大きく設計することができる。また、第１係合部６ａ，６ａ，７ａ，７ａと第２係合部７４，７５とが容器ユニット１００の上側で係合している。このため、第１係合部６ａ，６ａ，７ａ，７ａと第２係合部７４，７５との係合を解除する際に、容器ユニット１００の上方から作業することができる。このため、第１係合部６ａ，６ａ，７ａ，７ａと第２係合部７４，７５との係合を容易に解除することができる。
【００３９】
一対の把持部６，７の第１係合部６ａ，６ａ，７ａ，７ａを重ね合せて、第２係合部７４，７５の開口７４ａ，７５ａに挿入することによって、一対の把持部６，７を介して、第１容器１０の一対の蓋板２６，２７を、閉塞状態に維持することができる。
【００４０】
（第２実施例）
第１実施例と異なる点を説明する。なお、第２実施例以降の図面では、板厚が省略されている場合がある。図９及び図１０に示すように、容器ユニット２００では、第１容器２１０及び第２容器２５０のそれぞれ寸法が、第１容器１０及び第２容器５０と異なる。具体的には、第２容器２５０が、第２容器５０と比較して上下方向に長く、直方体形状を有する。また、第１容器２１０では、直方体形状を有する。
【００４１】
第２容器２５０の各側板２５４，２５７は、上下方向に長い長方形の平板形状を有する。なお、第２容器２５０の４枚の側板のうち、左側と後側の側板２５５，２５６は、それぞれ、右側の側板２５４及び前側の側板２５７と同一の形状を有する。側板２５４，２５５の上端辺のそれぞれには、第２係合部２７４，２７５が直接的に連結されている。
【００４２】
また、４枚の側板２５４，２５５，２５６，２５７は、一枚の平板を四角形の筒状に折り曲げて、両端に位置する側板を、連結片を介して連結することによって作成される。底板は、４枚の側板２５４，２５５，２５６，２５７のいずれかに直接的に連結されている。
【００４３】
第１容器２１０は、有底の直方体形状を有する。各側板２１４，２１７は、上下方向に垂直な方向に長い長方形の平板形状を有する。なお、第１容器２１０の４枚の側板のうち、図示省略された左側と後側の側板は、右側の側板２１４及び前側の側板２１７と同一の形状を有する。第１容器２１０の４枚の側板２１４，２１７と底板とは、第２容器２５０の４枚の側板２５４，２５７と底板との同様の構成を有する。なお、第１容器２１０の底板は、第２容器２５０の４枚の側板２５４，２５７で画定される開口と略同一の形状を有する。
【００４４】
第１容器２１０では、第１容器１０と同様に、蓋板２２６，２２７に回動可能に把持部２０６，２０７が連結されている。把持部２０６，２０７から突出する第１係合部２０６ａ，２０６ａ，２０７ａ，２０７ａは、互いに重ね合されて、第２容器２５０の第２係合部２７４，２７５の開口２７４ａ，２７５ａのそれぞれに挿入される。これにより、第１係合部２０６ａ，２０６ａ，２０７ａ，２０７ａが第２係合部２７４，２７５に係合される。
【００４５】
容器ユニット２００でも容器ユニット１００と同様の効果を奏することができる。また、容器ユニット２００では、第２容器２５０にワイン等の飲料品を収容し、第１容器２１０にケーキやチーズ等の食品を収容してもよい。
【００４６】
（第３実施例）
第１実施例と異なる点を説明する。図１１に示すように、容器ユニット３００は、第１容器３１０と第２容器３５０とを備える。第２容器３５０では、上端が開口された有底の四角筒形状を有する。第２容器３５０は、４枚の側板３５４，３５５，３５６，３５７及び底板（図示省略）を備える。互いに対向する一対の側板３５４，３５５は、同一の長方形の平板形状を有する。また、互いに対向する一対の側板３５６，３５７は、同一の長方形の平板形状を有する。４枚の側板３５４，３５５，３５６，３５７は、連続的に連結されて、四角筒を形成する。側板３５４，３５５，３５６，３５７と底板との関係は、第２容器２５０と同様である。
【００４７】
側板３５４と側板３５７とには、側板３５４と側板３５７との境界を跨いで、第２係合部３７４が配置されている。第２係合部３７４は、側板３５４と側板３５７とが部分的に切り離されて、側板３５７に回動可能に連結されている係合片３７４ａを備える。同様に、側板３５５と側板３５６との境界を跨いで、第２係合部３７６が配置されている。
【００４８】
第１容器３１０は、有底の直方体形状を有する。図１２は、蓋板３２６，３２７が開放された状態の第１容器３１０の上方斜視図を示す。第１容器３１０は、４枚の側板３１４，３１５，３１６，３１７と、底板（図示省略）と、蓋板３２６，３２７とを備える。互いに対向する一対の側板３１４，３１５は、同一の長方形の平板形状を有する。また、互いに対向する一対の側板３１６，３１７は、同一の長方形の平板形状を有する。４枚の側板３１４，３１５，３１６，３１７は、連続的に連結されて、四角筒を形成する。側板３１４，３１５，３１６，３１７と底板との関係は、第２容器３５０と同様である。
【００４９】
側板３１７の右端側には、側板３１７と側板３１４との境界よりも若干内側に、第１係合部３１７ａが配置されている。第１係合部３１７ａは、側板３１７を貫通する長方形状を開口である。側板３１６の左端側には、第１係合部３１７ａに対応して、側板３１６を貫通する長方形状の開口である第１係合部３１６ａが配置されている。
【００５０】
側板３１７の上端辺には、蓋板３２７が回動可能に連結されている。蓋板３２７は、長方形の平板形状を有する。蓋板３２７と側板３１７との境界には、左右方向の中央において、開口が配置されている。
【００５１】
蓋板３２７の中央部には、把持部３０６が配置されている。把持部３０６は、プラスチック等の樹脂で作製されている。なお、変形例では、把持部３０６は、樹脂以外の材料で作製されていてもよく、第１容器３１０と同一の材料で作製されていてもよいし、異なる材料で作製されていてもよい。把持部３０６は、蓋板３２７に取り付けられている。
【００５２】
側板３１６の上端辺には、蓋板３２６が回動可能に連結されている。蓋板３２６は、長方形の平板形状を有する。蓋板３２６の側板３１６と反対側の端辺には、挿入片３２６ａが連結されている。挿入片３２６ａは、蓋板３２６に回動可能に連結されている。蓋板３２６の中央部には、開口３２６ｂが設けられている。
【００５３】
図１２の開放状態から図１３に示す蓋板３２６，３２７が閉塞された状態（以下では「閉塞状態」と呼ぶ）に移行するために、まずは、側板３１４，３１５の上端のフラップを内側に折り曲げて、蓋板３２７を内側に折り曲げる。次いで、蓋板３２６を蓋板３２７に重ね合せるように、回動する。このとき、挿入片３２６ａを、蓋板３２７と側板３１７との境界の開口に挿入する。把持部３０６は、蓋板３２６の開口３２６ｂから外部に露出する。
【００５４】
図１３を参照して、第１容器３１０を第２容器３５０に組み合わせて、容器ユニット３００を形成する方法を説明する。第１容器３１０を第２容器３５０に組み合わせる場合、閉塞状態の第１容器３１０を、第２容器３５０に挿入する。図１４は、図１３の領域Ｘの拡大図であり、第１係合部３１６ａ，３１７ａが、第２係合部３７４，３７６で露出されるまで、第１容器３１０が第２容器３５０に挿入されている場合の拡大図である。第１係合部３１６ａ，３１７ａが、第２係合部３７４，３７６で露出されると、図１４に示すように、第２係合部３７４の係合片３７４ａを第１係合部３１７ａに挿入するとともに、第２係合部３７６の係合片３７６ａを第１係合部３１６ａに挿入する。これにより、第１係合部３１６ａ，３１７ａのそれぞれが、第２係合部３７４，３７６と係合して、容器ユニット３００が形成される。
【００５５】
容器ユニット３００から、第１容器３１０を取り外す場合には、第２係合部３７４，３７６の係合片３７４ａ，３７６ａを、第１係合部３１６ａ，３１７ａから引き抜く。そして、把持部３０６を把持して、第１容器３１０を上方に持ち上げることによって、第１容器３１０を容易に第２容器３５０から離脱させることができる。
【００５６】
把持部３０６は、第１容器３１０及び第２容器３５０の上方から露出しているために、把持部３０６を大きく設計することができる。また、把持部３０６を、第１容器３１０の蓋板３２６，３２７と別体で設けることによって、把持部３０６の形状の自由度を高くすることができる。
【００５７】
（第４実施例）
第１実施例と異なる点を説明する。図１５に示すように、容器ユニット４００では、第１容器４１０は、第２容器４５０に収容されていない。図１６に示すように、第２容器４５０は、４枚の側板４５４，４５７及び底板（なお、左側及び後側の側板と底板は図示省略）に加え、一対の蓋板４８６，４８７を備える。４枚の側板４５４，４５７及び底板は、第２実施例の第２容器２５０と同様に連結されている。
【００５８】
蓋板４８６は、後側の側板の上端辺に回動可能に連結されている。蓋板４８７は、側板４５７に回動可能に連結されている。一対の蓋板４８６，４８７は、前後方向の中央において、互いに係合して、第２容器４５０を閉塞する。
【００５９】
側板４５４の上端辺には、第２係合部４７４が回動可能に連結されている。同様に、左側の側板の上端辺には、第２係合部４７５が回動可能に連結されている。第２係合部４７４，４７５は、蓋板４８６，４８７上に第１容器４１０が載置されている状態で、第１容器４１０の蓋板４２６，４２７よりも上方に突出している。
【００６０】
第２係合部４７４の蓋板４２６，４２７よりも上方に位置する部分には、第２係合部４７４を貫通する開口４７４ａが配置されている。第２係合部４７５にも同様に、開口４７５ａが配置されている。
【００６１】
第１容器４１０は、第２実施例の第１容器２１０と寸法は異なるが同様の構成を有する。即ち、第１容器４１０は、４枚の側板４１４，４１７と、底板と、一対の蓋板４２６，４２７と、一対の把持部４０６，４０７と、第１係合部４０６ａ，４０６ａ，４０７ａ，４０７ａと、を備える。なお、左側と後側の側板及び底板は図示省略されている。
【００６２】
図１６を参照して、第１容器４１０を第２容器４５０に組み合わせて、容器ユニット４００を形成する方法を説明する。第１容器４１０を第２容器４５０に組み合わせる場合、閉塞状態の第１容器４１０を、閉塞状態の第２容器４５０の蓋板４８６，４８７上に載置する。次いで、第１係合部４０６ａ，４０６ａ，４０７ａ，４０７ａを、第２係合部４７４，４７５の開口４７４ａ，４７５ａに挿入して、第１係合部４０６ａ，４０６ａ，４０７ａ，４０７ａと第２係合部４７４，４７５とを係合して、容器ユニット４００を形成する。
【００６３】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００６４】
（１）上記の第３実施例では、第１係合部３１７ａは、それぞれ側板３１７に配置されている開口である。しかしながら、図１７及び図１８に示すように、第１係合部３１７ａは、側板３１７と側板３１４とに跨って設けられる開口であってもよい。第１係合部３１６ａも同様であってもよい。このとき、第２容器３５０の第２係合部３７４は、第２容器３５０の上端において、側板３５７と側板３５４とに跨って設けられていてもよい。第２係合部３７４は、下端において、側板３５７及び側板３５４と切離されていてもよい。第２係合部３７６も同様であってもよい。本変形例では、第１容器３１０と第２容器３５０とを組み合わせる場合、第２係合部３７４を、側板３５７及び側板３５４に沿って配置してもよい。第２係合部３７６も同様に、側板３５６及び側板３５５に沿って配置してもよい。そして、第１容器３１０を第２容器３５０に挿入し、第１係合部３１６ａ，３１７ａのそれぞれが、第２係合部３７４，３７６のそれぞれの内側に位置する状態で、第２係合部３７４，３７６を内側に凹ませるように変形させてもよい。これにより、第２係合部３７４，３７６が第１係合部３１６ａ，３１７ａに挿入されて、第１係合部３１６ａ，３１７ａと第２係合部３７４，３７６が互いに係合してもよい。
【００６５】
（２）上記の各実施例では、一対の第１係合部と一対の第２係合部とが配置されている。しかしながら、複数対の第１係合部と複数対の第２係合部とが配置されていてもよい。例えば、図１７及び図１８に示すように、第１容器３１０と第２容器３５０とは、一対の第１係合部３１６ａ，３１７ａと一対の第２係合部３７４，３７６に加えて、一対の第１係合部３１７ｂ（後側の側板に配置される第１係合部は図示省略）と、一対の第２係合部３８６，３８７と、を備えていてもよい。第１係合部３１７ｂは、側板３１７の下端に配置される開口であってもよい。後側の側板に配置される第１係合部も同様である。第２係合部３８７は、側板３５７に配置されており、第１係合部３１７ｂに挿入される挿入片であってもよい。第２係合部３８６も同様であってもよい。
【００６６】
（３）第１容器及び第２容器の形状は、上記の各実施例の形状に限られない。例えば、上記の第１実施例では、第１容器１０は、底板１２を備えている。しかしながら、第１容器１０は、底板１２を備えていてなくてもよい。例えば、第１容器１０は、円錐形状、多角錐形状等を有していてもよいし、部分的な球形状を有していてもよい。他の実施例の第１容器でも同様である。また、第２容器５０等も同様である。
【００６７】
また、例えば、第１容器及び第２容器は、２枚以上の平板を繋ぎ合わせることによって構成されていてもよい。
【００６８】
（４）容器ユニットは、３個以上の容器を備えていてもよい。例えば、第１実施例の容器ユニット１００は、第１容器１０及び第２容器５０に加えて、第１容器１０の底板１２と第２容器５０の底板５２との間に配置される第３容器を備えていてもよい。第３容器は、蓋を有する箱形状であってもよいし、蓋を有しないトレー形状であってもよい。あるいは、第３容器は、第１容器１０に収容されていてもよい。
【００６９】
（５）上記の各実施例では、第１容器に蓋板が配置されている。しかしながら、第１容器は、蓋板を備えていなくてもよい。即ち、第１容器は、トレー形状であってもよい。この場合、第２容器に蓋板を配置してもよい。さらに、第１容器を第２容器に収容してもよい。この場合、第１容器の把持部が、第２容器から露出していればよい。
【００７０】
（６）第１容器及び第２容器の材料は、紙に限定されない。プラスチック等の樹脂製であってもよい。また、紙と樹脂等の異なる材料が重なり合う材料で作製されていてもよい。
【００７１】
（７）上記の各実施例では、接着剤によって、連結片が接着されている。しかしながら、接着剤以外に、接着テープ等によって接合されていてもよい。
【００７２】
（８）上記の各実施例では、開口７４ａ，７５ａは、第２係合部７４，７５を切り抜くことによって作成させている。しかしながら、開口７４ａ，７５ａは、第１係合部６ａ，７ａが挿入される際に、第１係合部６ａ，７ａが第２係合部７４，７５を貫通するように作成されていてもよい。例えば、開口７４ａ，７５ａは、第２係合部７４，７５に回動可能に連結される小片によって閉塞されていてもよい。この場合、開口７４ａ，７５ａに第１係合部６ａ，７ａが挿入される際に、小片が第２係合部７４，７５に対して回動して、開口７４ａ，７５ａが開放されてもよい。小片は、開口７４ａ，７５ａの前後方向の中央部に直線上のスリットが設けられており、第１係合部６ａ，７ａが挿入される際に、前後方向に分離して回動してもよい。開口２７４ａ，２７５ａ、第１係合部３１６ａ，３１７ａ等の開口も同様である。
【００７３】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００７４】
６        ：把持部
６ａ      ：第１係合部
７        ：把持部
７ａ      ：第１係合部
１０      ：第１容器
２６      ：蓋板
２７      ：蓋板
５０      ：第２容器
７４      ：第２係合部
７４ａ    ：開口
７５      ：第２係合部
７５ａ    ：開口
１００    ：容器ユニット
【図１】
2018052554.tif 000003
【図２】
2018052554.tif 000004
【図３】
2018052554.tif 000005
【図４】
2018052554.tif 000006
【図５】
2018052554.tif 000007
【図６】
2018052554.tif 000008
【図７】
2018052554.tif 000009
【図８】
2018052554.tif 000010
【図９】
2018052554.tif 000011
【図１０】
2018052554.tif 000012
【図１１】
2018052554.tif 000013
【図１２】
2018052554.tif 000014
【図１３】
2018052554.tif 000015
【図１４】
2018052554.tif 000016
【図１５】
2018052554.tif 000017
【図１６】
2018052554.tif 000018
【図１７】
2018052554.tif 000019
【図１８】
2018052554.tif 000020